【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
複数のデータ線と走査線がマトリクス状に配線された表示パネルに、任意の画像を表示させる表示制御装置において、
原クロックを発振する発振回路と、
外部から与えられる表示データを記憶する表示メモリと、
外部から与えられる前記原クロックの分周比と１走査期間の基準クロック数と前記液晶パネルの駆動ライン数とを記憶する制御レジスタと、
前記発振回路からの前記原クロックを前記制御レジスタ内の前記原クロックの分周比で分周して、基準クロックを生成する基準クロック生成部と、
前記基準クロック生成部からの前記基準クロックに前記制御レジスタ内の前記１走査期間の基準クロック数と前記制御レジスタ内の前記駆動ライン数を演算して、１走査期間に同期したラインパルス及び１フレーム期間に同期したフレームパルスを生成するタイミング生成部と、
前記ラインパルス及び前記フレームパルスに従って、前記表示メモリから前記表示データを読み出すデコーダと、
前記表示メモリから読み出された前記表示データを駆動電圧へ変換し、前記駆動電圧を前記表示パネルの前記データ線へ出力するデータ線駆動部とを備えた表示制御装置。
【請求項２】
前記デコーダは、前記ラインパルスに従って、１ライン分の表示データを一括して前記表示パネルの先頭ラインに対応する前記表示メモリのアドレスから順に読み出し、前記フレームパルスに従って、前記表示パネルの先頭ラインに対応する前記表示メモリのアドレスへ戻り、この１ライン分の表示データの読み出しを繰り返す請求項１に記載の表示制御装置。
【請求項３】
前記ラインパルス及び前記フレームパルスに従って、選択電圧及び非選択電圧を前記表示パネルの前記走査線へ出力する走査線駆動部を備えた請求項１又は２に記載の表示制御装置。
【請求項４】
液晶表示装置のフレーム周波数を変更するための表示制御方法において、
１走査期間中の基準クロック数と、前記基準クロックの１期間中の原クロック数とを、外部から前記液晶表示装置の制御装置へ設定し、
前記基準クロックの１期間中の原クロック数に基づいて、前記基準クロックの１期間を決定し、
前記基準クロックの１期間に基づいて、前記１走査期間を決定し、
前記１走査期間に基づいて、前記フレーム周波数の１フレーム期間を決定し、
前記１走査期間中の基準クロック数と、前記基準クロックの１期間中の原クロック数とを外部から変更することによって、前記フレーム周波数を変更する表示制御方法。
【請求項５】
液晶表示装置のフレーム周波数を変更可能な表示制御装置において、
基準クロックの１期間中の原クロック数に基づいて、前記基準クロックを生成するための基準クロック生成部と、
前記基準クロック生成部に接続され、１走査期間中の基準クロック数に基づいて決定された１走査期間に同期したラインパルスと、複数の走査期間を含む１フレーム期間に同期したフレームパルスとを生成するためのタイミング生成部と、
外部から与えられた前記基準クロックの１期間中の原クロック数と前記１走査期間中の基準クロック数とを記憶するための制御レジスタとを備える表示制御装置。
【請求項６】
複数の走査線を含む液晶パネルに画像を表示するための表示制御装置において、
外部から与えられた１走査期間中の基準クロック数と１フレーム期間に対応する走査線数と前記基準クロックの１期間中の原クロック数とを含む駆動パラメータを記憶するための制御レジスタと、
前記基準クロックの１期間中の原クロック数に基づいて、前記基準クロックを生成するための基準クロック生成部と、
前記制御レジスタに記憶された前記１走査期間中の基準クロック数と前記１フレーム期間に対応する走査線数とに基づいて、前記１走査期間に同期したラインパルスと前記１フレーム期間に同期したフレームパルスとを生成するためのタイミング生成部とを備える表示制御装置。
【請求項７】
前記基準クロック生成部と前記タイミング生成部生成部は、前記制御レジスタに記憶された前記駆動パラメータに基づき、前記基準クロックと前記ラインパルスと前記フレームパルスの周波数を変更する請求項６に記載の表示制御装置。
【請求項８】
前記基準クロックの周波数に関する駆動パラメータは、前記基準クロックの１期間中の原クロック数であり、
前記ラインパルスと前記フレームパルスの周波数に関する駆動パラメータは、前記１走査期間中の基準クロック数である請求項７に記載の表示制御装置。
【請求項９】
表示パネルを制御するための表示制御装置において、
外部からの情報に基づいて、基準クロックに対する原クロックの分周比と１走査期間あたりの基準クロック数とを含む前記表示パネルのパラメータを設定するための第１の回路と、
前記パラメータに基づいて、パルスを生成するための第２の回路と、
前記パルスに従って前記表示パネルを駆動するための第３の回路とを備え、
前記第１の回路に設定された前記パラメータが前記外部から変更された場合に、前記表示パネルに対するフレーム周波数が変化する表示制御装置。
【請求項１０】
前記フレーム周波数は、前記原クロックの分周比と前記１走査期間あたりの基準クロック数から決定される請求項９に記載の表示制御装置。
【請求項１１】
前記パラメータは、前記表示パネルの駆動ライン数を含み、
前記フレーム周波数は、前記原クロックの分周比と前記１走査期間中あたりの基準クロック数と前記表示パネルの駆動ライン数とから決定される請求項９又は１０に記載の表示制御装置。
【請求項１２】
前記１走査期間あたりの基準クロック数は、整数である請求項９乃至１１の何れかに記載の表示制御装置。
【請求項１３】
表示パネルのフレーム周波数を調整可能な表示制御装置において、
外部からの情報に基づいて、原クロックの分周比と１走査期間あたりの基準クロック数とを設定するための第１の回路と、
前記原クロックの分周比によって原クロックの周波数を分周して基準クロックを生成し、１走査期間あたりの基準クロック数に基づいて前記基準クロックから前記フレーム周波数を持つ信号を生成するための第２の回路と、
前記外部からのデータを前記表示パネルへの駆動電圧へ変換するための第３の回路とを備える表示制御装置。
【請求項１４】
前記フレーム周波数は、前記原クロックの分周比と前記１走査期間あたりの基準クロック数から決定される請求項１３に記載の表示制御装置。
【請求項１５】
前記第１の回路は、前記外部からの情報に基づいて、前記表示パネルの駆動ライン数を設定可能で、
前記フレーム周波数は、前記原クロックの分周比と前記１走査期間中あたりの基準クロック数と前記表示パネルの駆動ライン数とから決定される請求項１３又は１４に記載の表示制御装置。
【請求項１６】
前記第１の回路は、前記外部からの情報に基づいて、前記表示パネルの駆動ライン数を設定可能で、
前記第２の回路は、前記１走査期間あたりの基準クロック数と前記表示パネルの駆動ライン数とに基づいて、前記基準クロックから前記フレーム周波数を持つ信号を生成する請求項１３に記載の表示制御装置。
【請求項１７】
前記フレーム周波数を持つ信号に従って前記表示パネルの走査線に、選択電圧と非選択電圧を出力する第４の回路を備えた請求項１３乃至１６の何れかに記載の表示制御装置。
【請求項１８】
前記フレーム周波数は、前記外部から前記第１の回路に設定される前記原クロックの分周比と前記１走査期間あたりの基準クロック数によって調整可能である請求項１３乃至１7の何れかに記載の表示制御装置。
【請求項１９】
前記１走査期間あたりの基準クロック数は、整数である請求項１３乃至１８の何れかに記載の表示制御装置。
【請求項２０】
複数のデータ線と走査線がマトリクス状に配線された表示パネルの表示を制御するための表示制御装置において、
原クロックを発振する発振回路と、
外部から与えられる表示データを記憶するメモリと、
外部から与えられる前記原クロックの分周比と１走査期間あたりの基準クロック数と前記表示パネルの駆動ライン数とを設定するためのレジスタと、
前記発振回路からの前記原クロックを前記レジスタ内の前記原クロックの分周比で分周して、基準クロックを生成し、前記基準クロックに前記レジスタ内の前記１走査期間あたりの基準クロック数と前記制御レジスタ内の前記表示パネルの駆動ライン数を演算して、１走査期間に同期したラインパルス及び１フレーム期間に同期したフレームパルスを生成するための生成回路と、
前記ラインパルス及び前記フレームパルスに従って、前記メモリから前記表示データを読み出し、前記表示メモリから読み出された前記表示データを駆動電圧へ変換し、前記駆動電圧を前記表示パネルの前記データ線へ出力するためのデータ線駆動回路とを備える表示制御装置。
【請求項２１】
前記生成回路は、前記ラインパルスに従って、表示データを前記表示パネルの先頭ラインに対応する前記表示メモリのアドレスから１ラインごとに順に読み出し、前記フレームパルスに従って、前記表示パネルの先頭ラインに対応する前記表示メモリのアドレスへ戻り、この表示データの読み出しを繰り返す請求項２０に記載の表示制御装置。
【請求項２２】
前記ラインパルス及び前記フレームパルスに従って、選択電圧及び非選択電圧を前記表示パネルの前記走査線へ出力する走査線駆動回路を備えた請求項２０又は２１に記載の表示制御装置。
【請求項２３】
前記フレーム周波数は、前記原クロックの分周比と前記１走査期間中あたりの基準クロック数と前記表示パネルの駆動ライン数とから決定される請求項２０乃至２２の何れかに記載の表示制御装置。
【請求項２４】
前記フレーム周波数は、前記外部から前記レジスタへ設定される前記原クロックの分周比と前記１走査期間中あたりの基準クロック数と前記表示パネルの駆動ライン数によって調整可能である請求項２０乃至２３の何れかに記載の表示制御装置。
【請求項２５】
前記１走査期間あたりの基準クロック数は、整数である請求項２０乃至２４の何れかに記載の表示制御装置。